(57)【要約】      （修正有）【課題】従来の紐端止め具に比べ、紐の端部を強固に止めることができる紐端止め具を提供する。【解決手段】紐端止め具の雌部材８０は、紐１６の端部が挿入される下方開口８２と、その開口と対向して形成される上方開口８４と、雌部材の内周面に配置される雌内壁部８８とを有する。紐端止め具の雄部材４０は、基体部４２と、その基体部の一側面から延び、上方開口から挿入される延出部と、その延出部に形成される貫通孔５０と、紐が貫通孔に挿通されて折り返されるときに、紐の折り返される部分ＣＴの内側と係合する係合突起５４と、折り返された紐の先端部ＣＥを雌内壁部との間で挟持するための右方係止部と、を有する。【選択図】図１３
2012231981.tif 000002
【特許請求の範囲】
【請求項１】
筒状の雌部材と、その雌部材の内部に挿入される雄部材とを備え、紐の端部を止める紐端止め具であって、
前記雌部材は、
紐の端部が挿入される第１の開口と、
その第１の開口と所定の対向方向に対向して形成される第２の開口と、
前記第１および第２の開口に間に位置する前記雌部材の内周面に配置される第１の雌内壁部と、を有し、
前記雄部材は、
基体部と、
その基体部の一側面から所定の延出方向に延び、前記第２の開口から前記所定の対向方向に挿入される延出部と、
その延出部に形成され、紐の端部が挿通されるように前記所定の延出方向と直交する方向に貫通する貫通孔と、
前記第１の開口から挿入された紐が前記貫通孔に挿通されて折り返されるときに、紐の折り返される部分の内側と係合するために、前記貫通孔の内壁のうちで前記基体部から最も離れた内壁に形成される折り返し係合部と、
前記貫通孔で折り返された紐の先端部を前記第１の雌内壁部との間で挟持するために、前記雄部材が前記雌部材の内部に挿入されたときに前記第１の雌内壁部に対向するように前記延出部に形成される第１の係止部と、を有することを特徴とする紐端止め具。
【請求項２】
前記雌部材は、前記第１の雌内壁部と対向して前記雌部材の内周面に配置される第２の雌内壁部を有し、
前記雄部材は、前記第１の開口から挿入され前記貫通孔に挿通される紐のうち前記折り返し係合部の形成位置に達する前の紐の部分を前記第２の雌内壁部との間で挟持するために、前記雄部材が前記雌部材の内部に挿入されたときに前記第２の雌内壁部に対向するように前記延出部に形成される第２の係止部を有することを特徴とする請求項１に記載の紐端止め具。
【請求項３】
前記第１および第２の雌内壁部は、前記所定の対向方向に平行な前記雌部材の中心線の回りに点対称となる形状に形成され、
前記第１および第２の係止部は、前記所定の延出方向に平行な前記雄部材の中心線の回りに点対称となる形状に形成されることを特徴とする請求項２に記載の紐端止め具。
【請求項４】
前記折り返し係合部は、前記貫通孔の内壁のうちで前記基体部から最も離れた内壁から前記基体部に向かって突出する係合突起から構成されることを特徴とする請求項１〜３のいずれかに記載の紐端止め具。
【請求項５】
前記第２の開口は、前記第１の開口より大きく、前記貫通孔に挿通された紐の折り返される部分が前記第２の開口から挿入されるように形成され、
前記雌部材は、前記貫通孔に挿通された紐の折り返される部分を収容する収容空間を前記第２の開口の近傍に有することを特徴とする請求項１〜４のいずれかに記載の紐端止め具。
【請求項６】
前記雌部材は、前記第２の開口からの前記延出部の挿入を案内するために前記雌部材の内周面に形成され、前記所定の対向方向に延びる複数の案内部を有することを特徴とする請求項１〜５のいずれかに記載の紐端止め具。
【請求項７】
前記第１の係止部は、前記第１の雌内壁部との間で、所定の半径を有する略円形の横断面形状を有する紐の端部を挟持するために、その所定の半径より小さい曲率半径を有する円弧状の凹所を備えることを特徴とする請求項１〜６のいずれかに記載の紐端止め具。
【請求項８】
前記第１の雌内壁部は、前記雄部材が前記雌部材の内部に挿入されたときに前記雌部材の内周面から前記凹所に向かって突出するように形成されることを特徴とする請求項７に記載の紐端止め具。
【請求項９】
前記雄部材は、前記所定の延出方向に前記延出部から延び、前記雌部材の内周面と係合する一対の弾性係止片を有することを特徴とする請求項１〜７のいずれかに記載の紐端止め具。
【請求項１０】
請求項１〜９のいずれかに記載の紐端止め具により端部が止められた紐端止め具付き紐。
【請求項１１】
前記紐は、略円形の横断面形状を有するゴム素材を含んで構成されることを特徴とする請求項１０に記載の紐端止め具付き紐。
【発明の詳細な説明】
【技術分野】
【０００１】
本発明は、鞄および衣類などの品物に取り付けられる紐の端部を止める紐端止め具に関する。詳細には、雌部材と、その雌部材に挿入される雄部材とを利用して、雌部材に挿通された紐の端部を止める紐端止め具に関する。
【背景技術】
【０００２】
従来、鞄及び衣類などの品物の所定箇所を結束するために、または、品物の開口部を開閉するための部材の一部として、種々の紐が使用される。たとえば、上着のフードに紐が取り付けられ、ユーザはその紐の両端部を互いに結んでフードを頭部に保持するために紐が使用される。また、鞄または衣類の開口部に設けられたファスナを開閉するために紐がファスナの部品に取り付けられ、ユーザはその紐を掴んでファスナを開閉するために紐が使用される。
【０００３】
特許文献１には、紐の１つの端部を止める紐端止め具の一例として、端部カバーが開示されている。この端部カバーは、筒状の雌部材と、雄部材とからなる。雄部材は、互いに対向して配置される一対の挟持用脚部を備える。各挟持用脚部は、紐状物の端部に突き刺さる突起を有する。雌部材に挿通された紐状物の端部は、両挟持用脚部の間で挟持される。雄部材が雌部材の内部に挿入されるときに、両挟持用脚部が雌部材の傾斜する内壁により押され、突起が紐状物の端部を突き刺してその端部を止める。
【０００４】
また、特許文献２には、紐の２つの端部を止める紐端止め具の一例として、紐止め具が開示されている。この紐止め具は、雌部材に相当する筒状のソケットと、雄部材に相当するプラグとからなる。プラグは、互いに対向して配置される一対の押圧脚部を備える。各押圧脚部は、紐の端部に食い込む食込突起を有する。ソケットは、その内壁に形成されたＶ溝形状の係止部と、その内部に突設された拡開部とを有する。紐の２つの端部は、拡開部の両側を通ってソケットに挿通され、プラグに仮固定される。プラグがソケットの内部に挿入されるときに、両押圧脚部が拡開部に係合して押し拡げられる。この押し拡げられた両押圧脚部の各々は、食込突起が紐の２つの端部の各々に食い込んだ状態で、係止部と協働して各端部を挟持して止める。
【０００５】
特許文献１、２に開示された従来の紐端止め具は、紐の端部を単に結んだものと比べ、美的外観上優れており、また、紐が編んだ素材から構成される場合に紐の端部の解れを止めるためにも優れている。
【先行技術文献】
【特許文献】
【０００６】
【特許文献１】特許第４０４０４５１号公報
【特許文献２】特許第４５２８６８７号公報
【発明の概要】
【発明が解決しようとする課題】
【０００７】
従来の紐端止め具において、紐の端部は、雌部材の内部にまっすぐ延びた状態で挿入される。このまっすぐな状態の紐の端部は、雄部材の両挟持用脚部の間で挟持されたり、または、雌部材の係止部と雄部材の各押圧脚部との間で挟持され、この挟持力のみで止められる。ユーザが、紐端止め具を掴んで紐を強く引っ張った場合、紐の端部を挟持している紐端止め具の部分が、まっすぐな状態の紐の端部の表面上を滑って紐の端部から抜けるおそれがある。特に、ナップサックなどの鞄に大量のものを詰め込んで結束する場合、または、衣類をしっかりと身に付ける場合など、紐を強く引っ張る必要がある場合には、紐端止め具が紐の端部から抜けることがある。
【０００８】
そこで、本発明は、従来の紐端止め具に比べ、紐の端部を強固に止めることができる紐端止め具を提供することを目的とする。
【課題を解決するための手段】
【０００９】
（第１の発明態様およびその具体的態様）
請求項１に記載の第１の発明態様は、筒状の雌部材と、その雌部材の内部に挿入される雄部材とを備え、紐の端部を止める紐端止め具であって、前記雌部材が、紐の端部が挿入される第１の開口と、その第１の開口と所定の対向方向に対向して形成される第２の開口と、前記第１および第２の開口に間に位置する前記雌部材の内周面に配置される第１の雌内壁部と、を有し、前記雄部材が、基体部と、その基体部の一側面から所定の延出方向に延び、前記第２の開口から前記所定の対向方向に挿入される延出部と、その延出部に形成され、紐の端部が挿通されるように前記所定の延出方向と直交する方向に貫通する貫通孔と、前記第１の開口から挿入された紐が前記貫通孔に挿通されて折り返されるときに、紐の折り返される部分の内側と係合するために、前記貫通孔の内壁のうちで前記基体部から最も離れた内壁に形成される折り返し係合部と、前記貫通孔で折り返された紐の先端部を前記第１の雌内壁部との間で挟持するために、前記雄部材が前記雌部材の内部に挿入されたときに前記第１の雌内壁部に対向するように前記延出部に形成される第１の係止部と、を有する構成である。
【００１０】
本発明態様では、紐端止め具が、１本の紐の１つの端部を止める構成でも、１本の紐の２つの端部を合わせて止める構成でも、２本以上の複数本の紐の２つ以上の複数の端部を合わせて止める構成であっても良い。複数の端部を合わせて止める場合、第１の雌内壁部、貫通孔、折り返し係合部、および第１の係止部の各部分が、複数の端部にそれぞれ対応して複数個ずつ設けられる構成でも、複数の端部に対して１個ずつ設けられる構成であっても良い。
【００１１】
本発明態様では、紐の横断面形状は、円形でも、楕円形でも、平坦な形状であっても良く、横断面形状が、紐の端部とそれ以外の部分とで異なっていても良い。また、紐自体の材質は、編んだ素材のみの材質でも、編んだ素材でゴム素材を被覆する材質であっても良い。ゴム素材は、いわゆるエラストマ素材であり、熱硬化性エラストマ、熱可塑性エラストマ、天然ゴム、および合成ゴムを含むものである。
【００１２】
本発明態様では、雌部材は、所定の対向方向に平行な中心線の回りに点対称の形状でも、非点対称の形状であっても良い。また、雄部材も、所定の延出方向に平行な中心線の回りに点対称の形状でも、非点対称の形状であっても良い。
【００１３】
請求項２に記載の具体的態様では、前記雌部材が、前記第１の雌内壁部と対向して前記雌部材の内周面に配置される第２の雌内壁部を有し、前記雄部材が、前記第１の開口から挿入され前記貫通孔に挿通される紐のうち前記折り返し係合部の形成位置に達する前の紐の部分を前記第２の雌内壁部との間で挟持するために、前記雄部材が前記雌部材の内部に挿入されたときに前記第２の雌内壁部に対向するように前記延出部に形成される第２の係止部を有する。
【００１４】
具体的態様では、第２の雌内壁部の形状は、第１の雌内壁部の形状と同じでも、異なっていても良い。また、第２の係止部の形状も、第１の係止部の形状と同じでも、異なっていても良い。たとえば、第２の雌内壁部および第２の係止部の間で紐を挟持する挟持力と、第１の雌内壁部および第１の係止部の間で紐を挟持する挟持力とを異ならせるために、雌内壁部と係止部との間隔、または、紐に対する雌内壁部の摩擦抵抗が異なるように、第２の雌内壁部および第２の係止部と、第１の雌内壁部および第１の係止部との形状が異なっていても良い。
【００１５】
請求項３に記載の具体的態様では、前記第１および第２の雌内壁部が、前記所定の対向方向に平行な前記雌部材の中心線の回りに点対称となる形状に形成され、前記第１および第２の係止部が、前記所定の延出方向に平行な前記雄部材の中心線の回りに点対称となる形状に形成される。
【００１６】
請求項４に記載の具体的態様では、前記折り返し係合部が、前記貫通孔の内壁のうちで前記基体部から最も離れた内壁から前記基体部に向かって突出する係合突起から構成される。
【００１７】
請求項５に記載の具体的態様では、前記第２の開口が、前記第１の開口より大きく、前記貫通孔に挿通された紐の折り返される部分が前記第２の開口から挿入されるように形成され、前記雌部材が、前記貫通孔に挿通された紐の折り返される部分を収容する収容空間を前記第２の開口の近傍に有する。
【００１８】
請求項６に記載の具体的態様では、前記雌部材が、前記第２の開口からの前記延出部の挿入を案内するために前記雌部材の内周面に形成され、前記所定の対向方向に延びる複数の案内部を有する。
【００１９】
請求項７に記載の具体的態様では、前記第１の係止部が、前記第１の雌内壁部との間で、所定の半径を有する略円形の横断面形状を有する紐の端部を挟持するために、その所定の半径より小さい曲率半径を有する円弧状の凹所を備える。
【００２０】
請求項８に記載の具体的態様では、前記第１の雌内壁部が、前記雄部材が前記雌部材の内部に挿入されたときに前記雌部材の内周面から前記凹所に向かって突出するように形成される。
【００２１】
請求項９に記載の具体的態様では、前記雄部材が、前記所定の延出方向に前記延出部から延び、前記雌部材の内周面と係合する一対の弾性係止片を有する。
【００２２】
具体的態様では、一対の弾性係止片は、雌部材の内部における雄部材の挿入状態を保持するために弾性変形して雌部材の内周面と係合する構成であれば、弾性係止片が突出する構成でも、内周面の一部が突出する構成であっても良い。
【００２３】
（第２の発明態様およびその具体的態様）
請求項１０に記載の第２の発明態様は、請求項１〜９のいずれかに記載の紐端止め具により端部が止められた紐端止め具付き紐である。
【００２４】
本発明態様の紐端止め具付き紐は、紐端止め具により端部が止められる紐であって、品物の結束などの使用時に紐端止め具に対して引っ張られて引張力が作用する紐であれば、いかなる用途を目的とする紐であっても良い。
【００２５】
本発明態様では、第１の発明態様と同様に、紐端止め具により止められる紐の端部の数は、１つでも、複数でも良い。また、紐の横断面形状、および紐自体の材質は、第１の発明態様と同様に、特に限定されない。
【００２６】
請求項１１に記載の具体的態様では、前記紐が、略円形の横断面形状を有するゴム素材を含んで構成される。
【００２７】
具体的態様では、紐は、少なくともゴム素材を含んでいれば良く、ゴム素材のみの材質でも、編んだ素材でゴム素材を被覆する材質であっても良い。ゴム素材は、いわゆるエラストマ素材であり、熱硬化性エラストマ、熱可塑性エラストマ、天然ゴム、および合成ゴムを含むものである。
【発明の効果】
【００２８】
（第１の発明態様およびその具体的態様の効果）
請求項１に記載の発明態様では、第１の開口から挿入された紐が貫通孔に挿通されて折り返されるときに、折り返し係合部は、紐の折り返される部分の内側と係合する。雄部材が雌部材の内部に挿入されたときに、第１の係止部は、第１の雌内壁部に対向し、貫通孔で折り返された紐の先端部を第１の雌内壁部との間で挟持する。この結果、第１の雌内壁部および第１の係止部の間で紐の先端部を挟持するとともに、折り返し係合部が紐の折り返される部分に係合する構成により、従来の雌部材の内部でまっすぐな状態の紐の端部を挟持する構成に比べ、紐端止め具から紐を引き抜くための引張力が大幅に増大し、紐の端部を強固に止めることができる。
【００２９】
請求項２に記載の具体的態様では、雄部材が雌部材の内部に挿入されたときに、第２の係止部は、第２の雌内壁部に対向し、第１の開口から挿入され貫通孔に挿通される紐のうち折り返し係合部の形成位置に達する前の紐の中間部分を第２の雌内壁部との間で挟持する。この結果、第１の雌内壁部および第１の係止部による紐の先端部の挟持と、折り返し係合部による紐の折り返される部分への係合とに加え、第２の雌内壁部および第２の係止部により紐の中間部分を挟持する構成により、紐端止め具から紐を引き抜くための引張力が更に増大し、紐の端部を一層強固に止めることができる。
【００３０】
請求項３に記載の具体的態様では、第１および第２の雌内壁部が、雌部材の中心線の回りに点対称となる形状に形成され、第１および第２の係止部が、雄部材の中心線の回りに点対称となる形状に形成される。この結果、雌部材に対する雄部材の挿入姿勢が、１８０度異なっても、雄部材を雌部材に確実に挿入することができることから、作業者は、紐端止め具により紐の端部を止める作業を容易に行うことができる。
【００３１】
請求項４に記載の具体的態様では、折り返し係合部が、係合突起から構成される。この結果、係合突起が紐の折り返される部分に係合する構成により、その折り返される部分が係合突起に対して滑り難くなり、紐の端部を一層強固に止めることができる。
【００３２】
請求項５に記載の具体的態様では、第２の開口が第１の開口より大きく、貫通孔に挿通された紐の折り返される部分が第２の開口から挿入される。貫通孔に挿通された紐の折り返される部分が第２の開口の近傍の収容空間に収容される。この結果、第２の開口が大きく形成され、その第２の開口の近傍に収容空間を備える構成により、雄部材を雌部材に挿入するときに、作業者は、貫通孔に挿通された紐の折り返される部分を第２の開口から挿入して収容空間に収容する作業を容易に行うことができる。
【００３３】
請求項６に記載の具体的態様では、複数の案内部が、第２の開口からの延出部の挿入を案内する。この結果、作業者は、複数の案内部により、第２の開口から延出部を挿入する作業を容易かつ確実に行うことができる。
【００３４】
請求項７に記載の具体的態様では、第１の係止部が、略円形の横断面形状を有する紐の所定の半径より小さい曲率半径を有する円弧状の凹所を備え、第１の雌内壁部との間で紐の端部を挟持する。この結果、円弧状の凹所および第１の雌内壁部の間で紐の端部を挟持する構成により、紐の端部が円弧状の凹所から抜け難くなり、紐の端部を一層強固に止めることができる。
【００３５】
請求項８に記載の具体的態様では、雄部材が雌部材の内部に挿入されたときに、第１の雌内壁部が凹所に向かって突出する。この結果、第１の雌内壁部が凹所に向かって突出する構成により、紐の端部が凹所から一層抜け難くなり、紐の端部をより一層強固に止めることができる。
【００３６】
請求項９に記載の具体的態様では、一対の弾性係止片が、所定の延出方向に延出部から延び、雌部材の内周面と係合する。この結果、一対の弾性係止片が雌部材の内周面と係合する構成により、雄部材が雌部材に挿入された状態を確実に保持することができる。
【００３７】
（第２の発明態様およびその具体的態様の効果）
請求項１０に記載の第２の発明態様は、紐端止め具により端部が止められた紐である。紐の端部が強固に止められることから、本発明態様の紐は、鞄および衣類などの品物を強い引張力で強固に結束することができ、または、鞄のファスナの取手部分などの品物の一部として確実に取り付けられる。
【００３８】
一般に、略円形の横断面形状を有するゴム素材を含む紐は、衣類などを確実に結束するために広く使用される。ゴム素材は、編んだ素材に比べ、弾性変形し易いことから、２つの部材の間で挟持される場合、２つの部材がゴム素材に食い込み難く、ゴム素材に対して滑り易い。このため、ゴム素材を含む紐は紐端止め具から抜け易くなる。そこで、ゴム素材を含む紐を紐端止め具に強固に止めるために、請求項１１に記載の具体的態様のゴム素材を含む紐は、第１の発明態様またはその具体的態様の紐端止め具により止められる。すなわち、紐の折り返される部分が折り返し係合部に係合するとともに、折り返された紐の先端部が第１の雌内壁部および第１の係止部の間で挟持される。この結果、具体的態様のゴム素材を含む紐は、品物を強い引張力で強固に結束することができ、または、品物の一部として確実に取り付けられる。
【図面の簡単な説明】
【００３９】
【図１】本発明の一実施形態に係る紐端止め具２０により端部が止められた紐１６、１８が、防寒用ジャケット１０の襟部分１２および裾部分１４の回りに取り付けられた状態を示す斜視図である。
【図２】紐端止め具２０を分解して示す拡大斜視図である。
【図３】紐端止め具２０の雄部材４０を下方から見た図面である。
【図４】雄部材４０を右方から見た右側面図である。
【図５】図３に示すＡ−Ａ線に沿って雄部材４０を切断して前方から見た断面図である。
【図６】紐端止め具２０の雌部材８０を上方から見た図面である。
【図７】図６に示すＢ−Ｂ線に沿って雌部材８０を切断して右方から見た右側断面図である。
【図８】図６に示すＣ−Ｃ線に沿って雌部材８０を切断して前方から見た断面図である。
【図９】雄部材４０を雌部材８０の内部に挿入して両部材を組み付けた構成を下方から見た図面である。
【図１０】図９に示すＤ−Ｄ線に沿って両部材４０、８０の組み付けた構成を切断して右方から見た右側断面図である。
【図１１】図９に示すＥ−Ｅ線に沿って両部材４０、８０の組み付けた構成を切断して前方から見た断面図である。
【図１２】紐１６の一方の端部が雌部材８０に挿通された状態を示す図面である。
【図１３】紐１６の先端部ＣＥが貫通孔５０に挿通された状態を示す断面面である。
【図１４】雄部材４０が雌部材８０の内部に挿入されて紐１６の端部が収容空間９８に収容された状態において、図９に示すＥ−Ｅ線に沿って切断して前方から見た断面図である。
【図１５】雄部材４０が雌部材８０の内部に挿入されて紐１６の端部が収容空間９８に収容された状態において、図９に示すＦ−Ｆ線に沿って切断して前方から見た断面図である。
【図１６】雄部材４０が雌部材８０の内部に挿入されて紐１６の端部が収容空間９８に収容された状態において、図１４に示すＧ−Ｇ線に沿って切断して下方から見た断面図である。
【図１７】本発明の実施例１および実施例２、比較例、並びに従来例について、紐端止め具から紐を引き抜くための引張力を測定した結果を示す説明図である。
【発明を実施するための形態】
【００４０】
＜実施形態＞
以下に、本発明の一実施形態に係る紐端止め具２０について、図面を参照して説明する。図１は、防寒用ジャケット１０の襟部分１２および裾部分１４の回りに、紐１６、１８が取り付けられた状態を示す斜視図である。紐端止め具２０は、紐１６の両端部、および紐１８の両端部にそれぞれ取り付けられる。本実施形態では、紐端止め具２０は、１本の紐の各端部に取り付けられる。また、紐１６、１８の材質として、編んだ素材、または、編んだ素材により被覆されたゴム素材が使用される。紐の横断面形状は、略円形である。
【００４１】
［紐端止め具２０の構成］
図２は、紐端止め具２０を分解して示す拡大斜視図である。図２において、紐端止め具２０は、雄部材４０と、雌部材８０とから構成される。雄部材４０は、筒状の雌部材８０の内部に挿入可能に形成される。雄部材４０、および雌部材８０は、合成樹脂材料により成形される。合成樹脂材料として、ポリアセタール樹脂、ポリアミド樹脂、またはポリプロピレン樹脂などが使用される。図２に矢印で示す３つの方向を、上下方向、前後方向、および左右方向とし、図２以降の他の図面でも同様に、各方向を示す。
【００４２】
（雄部材４０の構成）
図３〜図５を参照して、雄部材４０の詳細な構成を説明する。雄部材４０は、基体部４２、延出部４４と、一対の弾性係止片４６、４８とを有する。延出部４４は、基体部４２の一側面である下面から下方に延びる。一対の弾性係止片４６、４８は、延出部４４の下端部から下方に延びる。
【００４３】
図３は、雄部材４０を下方から見た図面である。図３に示すように、基体部４２は楕円形状を有する。基体部４２の上面は湾曲面に形成され、下面は平坦面に形成される。
【００４４】
図４は、雄部材４０を右方から見た右側面図である。図２および図４において、貫通孔５０が、延出部４４を左右方向に貫通して形成される。貫通孔５０は、４つの内壁５２Ａ〜５２Ｄを有する。内壁５２Ｃは、基体部４２から最も離れた内壁である。
【００４５】
図５は、図３に示すＡ−Ａ線に沿って雄部材４０を切断した断面図である。図４および図５において、係合突起５４が、左右方向における内壁５２Ｃの中央部分から基体部４２に向かって上方に突出する。係合突起５４の上方先端部は、尖った形状に形成され、図４に示すように前後方向に延びる。係合突起５４の上方先端部は紐の折り返される部分に係合するので、強く引っ張られた紐の折り返される部分が係合突起５４に押し当てられる場合でも、係合突起５４の上方先端部が損傷しない強度を有する範囲で、係合突起５４の上方先端部は鋭角の形状をなす。
【００４６】
図５において、内壁５２Ｃは、左右方向の中央部分から左右の両端部に向かって下方に傾斜して形成される。左方係止部５６は、内壁５２Ｃの左下方への傾斜面により形成され、右方係止部５８は、内壁５２Ｃの右下方への傾斜面により形成される。左方係止部５６の左方先端部、および右方係止部５８の右方先端部は、尖った形状に形成される。左方係止部５６の左方先端部、および右方係止部５８の右方先端部は、紐を押圧して係止するので、その係止される紐が強く引っ張られた場合でも、両係止部５６、５８の先端部が損傷しない強度を有する範囲で、両係止部５６、５８の先端部は鋭角の形状をなす。
【００４７】
図４において、貫通孔５０の内壁５２Ａ、５２Ｂ、５２Ｄと、係合突起５４の上方先端部とにより画定される貫通空間は、紐１６、１８の各紐の横断面より充分に大きくなるように、貫通孔５０および係合突起５４の寸法が設定される。
【００４８】
図３において、円弧状の凹所６０、６２が、係止部５６、５８の前後方向の中央部分を切り欠いてそれぞれ形成される。円弧状の凹所６０、６２の曲率半径は、略円形の横断面形状を有する紐１６、１８の半径より充分に小さく設定される。
【００４９】
一対の弾性係止片４６、４８は、前後方向に弾性変形可能に構成される。図２および図４に示すように、係止溝６４、６６が、左右方向に延びて両弾性係止片４６、４８にそれぞれ形成される。
【００５０】
図４および図５において、雄部材４０は、上下方向に平行に延びる中心線ＰＬを有する。雄部材４０を中心線ＰＬの回りに１８０度回転させた場合でも同じ形状となるように、雄部材４０は点対称の形状に形成される。
【００５１】
（雌部材８０の構成）
図６〜図８を参照して、雌部材８０の詳細な構成を説明する。図６は、雌部材８０を上方から見た図面であり、図７は、図６に示すＢ−Ｂ線に沿って雌部材８０を切断して右方から見た右側断面図であり、図８は、図６に示すＣ−Ｃ線に沿って雌部材８０を切断して前方から見た断面図である。図６において、雌部材８０は、紐挿入用の下方開口８２と、雄部材４０を挿入するための上方開口８４とを有する。下方開口８２は、略円形であり、上方開口８４は、左右方向に長い長孔形状である。
【００５２】
雌部材８０の外形は、図７に示す前後方向の幅が略同じ寸法であるが、図８に示す左右方向の幅が下方に向かって狭くなるように形成される。雄部材４０が雌部材８０の内部に挿入されたときに、基体部４２の下面は雌部材８０の上方端面に当接して支持される。また、雄部材４０が雌部材８０の内部に挿入されたときに、図１０および図１１に示すように、雌部材８０の上方部分の外周面は、雄部材４０の基体部４２の上面と連続した滑らかな湾曲面を構成する。
【００５３】
図６および図８において、一対の雌内壁部８６、８８が、雌部材８０の左右の内周面から雌部材８０の中心に向かって突出する。両雌内壁部８６、８８は、左右方向に対向して配置され、上下方向に延びて形成される。
【００５４】
図６および図７において、一対の係止突条９０、９２が、雌部材８０の前後の内周面から突出する。両係止突条９０、９２は、左右方向に延びて形成される。雄部材４０が雌部材８０の内部に挿入されたときに、両係止突条９０、９２は、両弾性係止片４６、４８の係止溝６４、６６に嵌合する。
【００５５】
図６において、一対の前方案内部９４Ａ、９４Ｂが、雌部材８０の前方の内周面から突出する。一対の後方案内部９６Ａ、９６Ｂが、雌部材８０の後方の内周面から突出する。両前方案内部９４Ａ、９４Ｂおよび両後方案内部９６Ａ、９６Ｂは、両係止突条９０、９２の形成位置を中心にして上下方向に延びて形成される。図７は、前方案内部９４Ａおよび後方案内部９６Ａが、上下方向に延びて形成される構成を示す。両前方案内部９４Ａ、９４Ｂは、延出部４４の前方部分および弾性係止片４６の雌部材８０への挿入を案内する。また、両後方案内部９６Ａ、９６Ｂは、延出部４４の後方部分および弾性係止片４８の雌部材８０への挿入を案内する。
【００５６】
図８において、一対の雌内壁部８６、８８は、上方開口８４の近傍には形成されていないことから、収容空間９８が上方開口８４の近傍に確保される。上方開口８４の左右方向の幅は、下方開口８２の左右方向の幅より大きい。収容空間９８の左右方向の幅は、上方開口８４の左右方向の幅と同じ寸法である。図８において、両雌内壁部８６、８８の上方部分は、両雌内壁部８６、８８の間隔が上方に向かって広がるように傾斜して形成される。本実施形態では、略円形の下方開口８２の左右方向の幅、すなわち下方開口８２の直径は、紐１６、１８の各紐の直径より僅かに大きい。長孔形状の上方開口８４の左右方向の幅は、下方開口８２の左右方向の幅の略２倍の大きさである。
【００５７】
図７および図８において、雌部材８０は、上下方向に平行に延びる中心線ＳＬを有する。雌部材８０を中心線ＳＬの回りに１８０度回転させた場合でも同じ形状となるように、雌部材８０は点対称の形状に形成される。
【００５８】
（雄部材４０および雌部材８０の組み付けた構成）
図９〜図１１を参照して、雄部材４０を雌部材８０の内部に挿入して両部材を組み付けた構成を説明する。図９は、両部材４０、８０の組み付けた構成を下方から見た図面である。図１０は、図９に示すＤ−Ｄ線に沿って両部材４０、８０の組み付けた構成を切断して右方から見た右側断面図である。図１１は、図９に示すＥ−Ｅ線に沿って両部材４０、８０の組み付けた構成を切断して前方から見た断面図である。
【００５９】
図１０に示すように、雄部材４０が雌部材８０に挿入された状態において、一対の弾性係止片４６、４８の係止溝６４、６６は、係止突条９０、９２に嵌合する。この嵌合により、雄部材４０の挿入状態が保持される。図１１に示すように、左方係止部５６の円弧状の凹所６０が、雌内壁部８６に対向して位置し、右方係止部５８の円弧状の凹所６２が、雌内壁部８８に対向して位置する。紐は、凹所６０と雌内壁部８６との間の空間で挟持されるとともに、凹所６２と雌内壁部８８との間の空間で挟持される。
【００６０】
図１１において、上方開口８４は、基体部４２により封鎖される。この封鎖に伴い、収容空間９８が上方開口８４の近傍に画定される。紐が係合突起５４に係合して折り返されるときに、その折り返される部分を収容するために収容空間９８が使用される。
【００６１】
［紐の端部を止める作業手順］
図１２〜図１６を参照して、紐端止め具２０により紐の端部を止める作業手順を説明する。一例として、ジャケット１０の襟部分１２に取り付けられる紐１６の両端部を紐端止め具２０によりそれぞれ止める作業手順を説明する。この場合、紐１６は襟部分１２にすでに取り付けられ、襟部分１２から延出している紐１６の両端部が止められる。
【００６２】
図１２は、紐１６の一方の端部が雌部材８０に挿通された状態を示す。図１２において、作業者は、紐１６の先端部ＣＥを、雌部材８０の下方開口８２から上方に挿入して上方開口８４から引き出する。
【００６３】
図１３は、紐１６の先端部ＣＥが貫通孔５０に挿通された状態を示す。図１３において、作業者は、紐１６の先端部ＣＥを、左方から雄部材４０の貫通孔５０に挿通する。その後に、作業者は、紐１６の先端部ＣＥが下方に向くように紐１６を折り返す。この折り返し作業のときに、紐１６の折り返される部分ＣＴの内側、すなわち折り返される部分ＣＴの下方側が、係合突起５４に係合する。
【００６４】
図１３において、作業者は、紐１６の先端部ＣＥの近傍部分を円弧状の凹所６２に押し当て、また、紐１６の中間部分ＣＭを円弧状の凹所６０に押し当てる。この押し当てた状態で、作業者は、紐１６の先端部ＣＥを上方開口８４から雌内壁部８８の傾斜する上方部分に沿って下方に挿入し、その後に雄部材４０を雌部材８０の内部に挿入する。雄部材４０の基体部４２の下面が雌部材８０の上方端面に当接したときに、一対の弾性係止片４６、４８の係止溝６４、６６は、係止突条９０、９２に嵌合する。この嵌合により、雄部材４０が雌部材８０の内部に挿入された状態が保持される。紐１６の先端部ＣＥ、折り返される部分ＣＴ、および中間部分ＣＭが収容空間９８に収容された状態で、雄部材４０を雌部材８０の内部に挿入することにより、作業者は、紐１６の一方の端部を紐端止め具２０により止める作業を完了する。同様な作業手順に従って、作業者は、紐１６の他方の端部を紐端止め具２０により止める作業を行う。本実施形態では、紐１６の各端部は、先端部ＣＥ、折り返される部分ＣＴ、および、円弧状の凹所６０に押し当てられる中間部分ＣＭを含む部分を意味する。
【００６５】
図１４〜図１６は、紐１６の端部を止める紐端止め具２０の内部の状態を示す。図１４は、雄部材４０が雌部材８０の内部に挿入されて紐１６の端部が収容空間９８に収容された状態において、図９に示すＥ−Ｅ線に沿って切断して前方から見た断面図である。図１５は、雄部材４０が雌部材８０の内部に挿入されて紐１６の端部が収容空間９８に収容された状態において、図９に示すＦ−Ｆ線に沿って切断して前方から見た断面図である。図１６は、雄部材４０が雌部材８０の内部に挿入されて紐１６の端部が収容空間９８に収容された状態において、図１４に示すＧ−Ｇ線に沿って切断して下方から見た断面図である。
【００６６】
図１４および図１６に示すように、紐１６の先端部ＣＥの近傍部分の一部が、雌内壁部８８により押圧されて変形し、円弧状の凹所６２の内部に押し込められる。また、紐１６の中間部分ＣＭの一部が、雌内壁部８６により押圧されて変形し、円弧状の凹所６０の内部に押し込められる。
【００６７】
図１５および図１６に示すように、紐１６の先端部ＣＥの近傍部分の他の部分は、円弧状の凹所６２の前後において延出部４４の係止部５８の尖った部分により押圧されて変形し、雌部材８０の内周面に押し当てられる。また、紐１６の中間部分ＣＭの他の部分は、円弧状の凹所６０の前後において延出部４４の係止部５６の尖った部分により押圧されて変形し、雌部材８０の内周面に押し当てられる。
【００６８】
図１４および図１５に示すように、紐１６の折り返される部分ＣＴの内側は、係合突起５４の尖った部分に係合する。図１６に示すように、雌部材８０の内部における延出部４４の左右方向の位置は、延出部４４の４つの角部が４つの案内部９４Ａ、９４Ｂ、９６Ａ、９６Ｂにそれぞれ当接することにより定められる。また、雌部材８０の内部における延出部４４の前後方向の位置は、延出部４４の前後の面が雌部材８０の前後の内周面にそれぞれ当接することにより定められる。
【００６９】
［紐の引張力の測定結果］
図１７を参照して、紐の引張力の測定結果を説明する。図１７は、本発明の実施例１および実施例２、比較例、並びに従来例について、紐端止め具から紐を引き抜くための引張力を測定した結果を一覧表として示す説明図である。
【００７０】
実施例１は、本実施形態と同一の構成の雄部材および雌部材を備える具体例である。具体的には、図１５に示すように、実施例１の雄部材が、円弧状の凹所を有する左方係止部と、円弧状の凹所を有する右方係止部と、係合突起とを有する。実施例２は、本発明の別の実施形態の具体例であり、本実施形態と同一の構成の雌部材と、本実施形態と異なる構成の雄部材とを備える。具体的には、実施例２の雄部材は、図１５において、円弧状の凹所を有する右方係止部と、係合突起とを有するが、円弧状の凹所を有する左方係止部を有しない。実施例２においては、紐の中間部分ＣＭは、雄部材および雌部材の間で挟持されない。
【００７１】
比較例は、本実施形態と同一の構成の雌部材と、本実施形態と異なる構成の雄部材とを備える。具体的には、比較例の雄部材は、図１５において、円弧状の凹所を有する左方係止部と、係合突起とを有するが、円弧状の凹所を有する右方係止部を有しない。比較例においては、紐の先端部ＣＥの近傍部分は、雄部材および雌部材の間で挟持されない。
【００７２】
従来例は、特許文献１に開示された雄部材および雌部材と同様な構成の雄部材および雌部材を備え、市販されている紐端止め具である。具体的には、従来例の雄部材は、互いに対向する一対の挟持用脚部を有し、複数の突起が各挟持用脚部の対向面に形成される。従来例において、紐の先端部の近傍部分は、両挟持用脚部の間で挟持され、雌部材の内部でまっすぐな状態にて止められる。
【００７３】
紐の引張力の測定には、硬さの異なる２種類の紐を使用した。第１の紐は、株式会社丸進が販売する商品名「先染ポリエステルエラスティックコード」、品番「（ＳＯＦＴ）３１１２−ＴＳ」の丸紐である。第２の紐は、第１の紐より硬い紐であり、有限会社トリムアイが販売する商品名「ストレッチコード」、品番「ＨＡＲＤ  ＴＹＰＥ  ＳＩＣ−３１４１」の丸紐である。第１および第２の紐は、ゴム素材の芯を、ポリエステル繊維の編んだ素材で被覆した材質から構成され、紐径は、２．５ｍｍである。
【００７４】
柔らかい第１の紐を使用して測定した場合、実施例１の引張力が最も大きく、引張力は、実施例２、従来例、および比較例の順に小さくなる。硬い第２の紐を使用して測定した場合、実施例１の引張力が最も大きく、引張力は、実施例２、比較例、および従来例の順に小さくなる。
【００７５】
［実施形態の効果］
図１７に示す測定結果から、本発明の実施例１および実施例２の引張力は、紐の硬さが異なる場合でも、従来例の引張力より大きい。特に、実施例１の引張力は、従来例の引張力より、１．５倍以上大幅に大きくなる。また、実施例１および実施例２の引張力が、紐の硬さが異なる場合でも、従来例の引張力より大きくなる測定結果から、紐１６の先端部ＣＥの近傍部分を係止する右方係止部５８と、紐１６の折り返される部分ＣＴに係合する係合突起５４とが、引張力を増大させるために有効に作用することが理解される。さらに、右方係止部５８および係合突起５４に加えて設けられる左方係止部５６が、紐１６の中間部分ＣＭを係止することにより、引張力を大幅に増大させるために有効に作用することも理解される。
【００７６】
本実施形態では、係合突起５４の上方先端部が鋭角をなす尖った形状に形成される。紐端止め具２０により止められた紐１６が強く引っ張られたときに、図１５において紐１６の中間部分ＣＭが左方係止部５６に対して滑って下方に僅かに移動した場合でも、紐１６の折り返される部分ＣＴは、係合突起５４の上方先端部の形状にならって、より鋭角に大きく折り返される。この結果、係合突起５４の上方先端部は、折り返される部分の移動に対して大きな抵抗力を発生し、紐端止め部２０から紐１６を引き抜くための引張力を増大させることができる。
【００７７】
本実施形態では、紐端止め具２０により端部が止められる紐１６として、ゴム素材を含む紐を使用することができる。一般に、ゴム素材を含む紐は弾性変形し易いことから、尖った形状の係止部材であってもゴム素材に食い込み難く、ゴム素材を含む紐が係止部材に対して滑って紐端止め具から抜けるおそれがある。しかし、本実施形態では、ゴム素材を含む紐を引っ張った場合に、係合突起５４の上方先端部が折り返される部分ＣＴの移動に対して大きな抵抗力を発生するので、ゴム素材を含む紐を紐端止め部２０から引き抜くための引張力を増大させることができる。
【００７８】
本実施形態では、雌部材８０の４つの案内部９４Ａ、９４Ｂ、９６Ａ、９６Ｂと、雌部材８０の前後の内周面とにより、雄部材４０の延出部４４は、図１６に示すように、雌部材８０の内部において左右方向および前後方向にそれぞれ位置決めされる。この位置決めにより、延出部４４の両係止部５６、５８は、紐１６の先端部ＣＥおよび中間部分ＣＭを正確に押圧することができる。
【００７９】
本実施形態では、延出部４４の両係止部５６、５８が円弧状の凹所６０、６２を有し、図１６に示す雌部材８０の両雌内壁部８６、８８は両凹所６０、６２に向かって突出する。凹所６０、６２により、略円形の横断面形状を有する紐１６の先端部ＣＥおよび中間部分ＣＭは、図１６に示すように、雌部材８０の内部おいて両係止部５６、５８に対して前後方向に位置決めされる。この結果、紐１６が円形断面形状であっても、紐１６の先端部などの各部分が前後方向にずれることなく、両雌内壁部８６、８８は、紐１６の先端部ＣＥおよび中間部分ＣＭを正確に押圧することができる。
【００８０】
本実施形態では、貫通孔５０が延出部４４に形成され、一対の弾性係止片４６、４８が延出部４４から下方に延びて形成される。雌部材８０の内部への雄部材４０の挿入状態を保持する両弾性係止片４６、４８が貫通孔５０より下方に設けられることから、雄部材４０の基体部４２の近傍に両弾性係止片に相当する手段を設ける構成に比べ、雌部材８０全体を大きくすることなく、紐１６の折り返される部分ＣＴを収容するために比較的大きな収容空間９８を確保することができる。
【００８１】
本実施形態では、一対の雌内壁部８６、８８が上方開口８４の近傍には設けられないことから、比較的大きな収容空間９８が上方開口８４の近傍に形成される。そして、両雌内壁部８６、８８の上方部分が、図１４に示すように下方に向かって傾斜する。この収納空間、および少なくとも雌内壁部８８の傾斜する面により、作業者は、折り返された紐１６の先端部ＣＥを雌内壁部８８の傾斜する面に沿って雌部材８０の内部に容易に挿入することができ、折り返される部分ＣＴを収容空間９８に収容する作業を円滑に行うことができる。
【００８２】
＜構成の対応関係＞
本実施形態の紐端止め具２０、および紐端止め具２０により端部が止められた紐１６、１８は、本発明の紐端止め具、および紐端止め具付き紐の一例である。本実施形態の雄部材４０および雌部材８０は、本発明の雄部材および雌部材の一例である。本実施形態の下方開口８２および上方開口８４は、本発明の第１および第２の開口の一例である。本実施形態の雌内壁部８８、８６は、本発明の第１および第２の雌内壁部の一例である。本実施形態の基体部４２、延出部４４、貫通孔５０、および一対の弾性係止片４６、４８は、本発明の基体部、延出部、貫通孔、および一対の弾性係止片の一例である。本実施形態の右方係止部５８および左方係止部５６は、本発明の第１および第２の係止部の一例であり、本実施形態の円弧状の凹所６２は、本発明の円弧状の凹所の一例である。本実施形態の係合突起５４は、本発明の折り返し係合部および係合突起の一例である。本実施形態の案内部９４Ａ、９４Ｂ、９６Ａ、９６Ｂは、本発明の複数の案内部の一例である。本実施形態の収容空間９８は、本発明の収容空間の一例である。本実施形態の貫通孔５０の内壁５２Ｃは、本発明の基体部から最も離れた内壁の一例である。本実施形態の雄部材４０の中心線ＰＬおよび雌部材８０の中心線ＳＬは、本発明の雄部材の中心線および雌部材の中心線の一例である。本実施形態の上下方向は、本発明の所定の対向方向の一例であり、また所定の延出方向の一例である。
【００８３】
＜変形例＞
本発明は、本実施形態に限定されることはなく、その趣旨を逸脱しない範囲において種々の変形が可能である。以下にその変形の一例を述べる。
【００８４】
（１）本実施形態では、１本の紐１６の１つの端部が、１つの紐端止め具２０により止められる構成であるが、１本の紐の両端部、または２本の紐の２つの端部が、１つの紐端止め具により合わせて止められる構成であっても良い。この構成の変形例では、雄部材の貫通孔は２つの端部が挿通される大きさに形成され、円弧状の凹所および雌内壁部は、２つの端部に対応して２個ずつ設けられる。
【００８５】
（２）本実施形態では、紐１６の先端部ＣＥの近傍部分の一部、および中間部分ＣＭの一部が、雌内壁部８８、８６により押圧されて変形し、係止部５８、５６の円弧状の凹所６２、６０の内部に押し込められる構成である。この構成に代えて、係止部５６を除去して紐１６の先端部ＣＥの近傍部分の一部のみが押圧され、中間部分ＣＭの一部が押圧されない構成であっても良い。
【００８６】
（３）本実施形態では、紐１６の先端部ＣＥの近傍部分および中間部分ＣＭを挟持するために、円弧状の凹所６２、６０を有する係止部５８、５６と、雌内壁部８８、８６とが設けられるが、この構成に限定されない。凹所を有しない係止部でも、Ｖ字溝などの円弧状以外の形状の凹所を有する係止部であっても良い。雌内壁部は、雌部材の内周面から突出せず、内周面と連続する同一平面または同一の曲面であっても良い。
【００８７】
（４）本実施形態では、係止部５６、５８の先端部、および係合突起５４の上方先端部は、鋭角に尖った形状であるが、鈍角をなす尖った形状でも良い。また、紐端止め具に対して紐が引っ張られたときに、紐の移動に対して抵抗力を発生することができれば、係止部５６、５８の先端部、および係合突起５４の上方先端部は、曲率半径の小さい湾曲面であっても良い。
【００８８】
（５）本実施形態では、一対の雌内壁部８６、８８が左右方向に対向して配置され、雄部材４０が雌部材８０の内部に挿入されるときに、一対の係止部６０、６２の円弧状の凹所５６、５８が雌内壁部８６、８８と左右方向において対向する。この構成に代えて、一対の雌内壁部が、互いに対向しない状態で配置され、雌部材の内周面から前後方向において突出して形成され、一対の係止部の円弧状の凹所が、一対の雌内壁部と前後方向において対向する構成であっても良い。
【符号の説明】
【００８９】
１６、１８    紐
２０    紐端止め具
４０    雄部材
４２    基体部
４４    延出部
５０    貫通孔
５２Ｃ    貫通孔の最も離れた内壁
５４    係合突起
５６    左方係止部
５８    右方係止部
６０、６２    円弧状の凹所
８２    下方開口
８４    上方開口
８６、８８    雌内壁部
ＣＥ    紐の先端部
ＣＴ    紐の折り返される部分
ＣＭ    紐の中間部分
【図１】
2012231981.tif 000003
【図２】
2012231981.tif 000004
【図３】
2012231981.tif 000005
【図４】
2012231981.tif 000006
【図５】
2012231981.tif 000007
【図６】
2012231981.tif 000008
【図７】
2012231981.tif 000009
【図８】
2012231981.tif 000010
【図９】
2012231981.tif 000011
【図１０】
2012231981.tif 000012
【図１１】
2012231981.tif 000013
【図１２】
2012231981.tif 000014
【図１３】
2012231981.tif 000015
【図１４】
2012231981.tif 000016
【図１５】
2012231981.tif 000017
【図１６】
2012231981.tif 000018
【図１７】
2012231981.tif 000019